【手続補正書】
【提出日】平成28年2月18日(2016.2.18)
【手続補正１】
【補正対象書類名】特許請求の範囲
【補正対象項目名】全文
【補正方法】変更
【補正の内容】
【特許請求の範囲】
【請求項１】
Ｘ線撮影に用いられるＸ線画像検出システムであって、
照射されたＸ線量を電気信号に変換する変換素子を有し、前記変換素子から得られた電気信号に基づいてＸ線画像を生成する撮影部と、
所定の表示を行うための表示パネルを有する表示部と、
前記撮影部の筺体に前記表示部を着脱可能に装着する装着手段と、
前記装着手段に前記表示部が装着されているか否かに基づいて、前記撮影部または前記表示部に関わる制御を切り換える制御手段と、を備えることを特徴とするＸ線画像検出システム。
【請求項２】
前記制御手段は、前記表示部が前記装着手段に装着されている場合には、前記撮影部を撮影の開始指示を受け付けない撮影禁止の状態とし、前記表示部が前記装着手段に装着されていない場合には、前記撮影部を撮影の開始指示を受け付ける撮影許可状態とすることを特徴とする請求項１に記載のＸ線画像検出システム。
【請求項３】
前記制御手段は、前記表示部が前記装着手段に装着されている場合には、前記撮影部を電源オフの状態とし、前記表示部が前記装着手段に装着されていない場合には、前記撮影部を電源オンの状態とすることを特徴とする請求項１に記載のＸ線画像検出システム。
【請求項４】
前記装着手段は、前記表示部が装着された状態において、前記表示部が有する電源からの電力を前記撮影部へ供給する供給手段を有し、
前記制御手段は、前記表示部が前記装着手段に装着されている場合は、前記撮影部が有する電源による電力の供給を停止することを特徴とする請求項１または２に記載のＸ線画像検出システム。
【請求項５】
前記表示部が前記装着手段に装着されている場合に、前記制御手段は、患者情報および撮影条件の少なくともいずれかを含む情報を前記表示パネルに表示させることを特徴とする請求項１乃至４のいずれか１項に記載のＸ線画像検出システム。
【請求項６】
前記撮影部と前記表示部の間で通信を行う通信手段を更に備え、
前記制御手段は、前記表示部が前記装着手段に装着されていない場合に、前記通信手段を介して前記撮影部から前記表示部へＸ線画像を送信し、前記表示パネルに送信された該Ｘ線画像を表示させることを特徴とする請求項１乃至５のいずれか１項に記載のＸ線画像検出システム。
【請求項７】
前記表示部をネットワークまたは公衆回線に接続する接続手段を更に備え、
前記表示部は、前記接続手段を介して前記ネットワークまたは公衆回線に前記Ｘ線画像を送出することを特徴とする請求項６に記載のＸ線画像検出システム。
【請求項８】
前記装着手段は、同時に複数の表示部を装着することが可能であり、
前記制御手段は、前記装着手段における第１の表示部と第２の表示部の装着状態の組合せに基づいて前記撮影部または前記表示部の制御を切り換える、ことを特徴とする請求項１に記載のＸ線画像検出システム。
【請求項９】
前記制御手段は、前記装着手段に前記第１の表示部と前記第２の表示部が同時に装着されている場合には前記撮影部を撮影の開始指示を受け付けない撮影禁止の状態とし、前記第１の表示部が装着され、前記第２の表示部が装着されていない場合には、前記撮影部を撮影の開始指示を受け付ける撮影許可状態とする、ことを特徴とする請求項８に記載のＸ線画像検出システム。
【請求項１０】
Ｘ線撮影に用いられるＸ線画像検出装置であって、
照射されたＸ線量を電気信号に変換する変換素子を有し、前記変換素子から得られた電気信号に基づいてＸ線画像を生成する撮影部と、
前記撮影部の筺体に表示部を着脱可能に装着する装着手段と、
前記装着手段に表示部が装着されているか否かに基づいて、前記撮影部に関わる制御を切り換える制御手段と、を備えることを特徴とするＸ線画像検出装置。
【請求項１１】
Ｘ線撮影に用いられるＸ線画像検出装置に着脱可能な表示装置であって、
所定の表示を行うための表示手段と、
前記Ｘ線画像検出装置に装着されているか否かを検出する検出手段と、
前記検出手段による検出結果に基づいて前記表示手段の表示を切り換える制御手段と、を備えることを特徴とする表示装置。
【請求項１２】
Ｘ線撮影に用いられるＸ線画像検出装置に着脱可能な表示装置であって、
所定の表示を行う表示手段と、
前記表示装置の各部への電力の供給を行う電力供給手段と、を有し、
前記電力供給手段は、前記Ｘ線画像検出装置に装着されている場合に、前記表示装置の各部および前記Ｘ線画像検出装置に電力の供給を行うことを特徴とする表示装置。
【請求項１３】
前記表示装置は、前記Ｘ線画像検出装置の筺体におけるＸ線の入射方向とは反対側の面に固定され装着されることを特徴とする請求項１１または１２に記載の表示装置。
【請求項１４】
照射されたＸ線量を電気信号に変換する変換素子を有し、前記変換素子から得られた電気信号に基づいてＸ線画像を生成する撮影部と、
所定の表示を行うための表示パネルを有する表示部と、を有するＸ線画像検出システムの制御方法であって、
前記撮影部の筺体に前記表示部を着脱可能に装着する装着手段に、前記表示部が装着されているか否かを検出する検出工程と、
前記検出工程による検出結果に基づいて、前記撮影部または前記表示部に関わる制御を切り換える制御工程と、を有することを特徴とするＸ線画像検出システムの制御方法。
【請求項１５】
照射されたＸ線量を電気信号に変換する変換素子を有し、前記変換素子から得られた電気信号に基づいてＸ線画像を生成するＸ線画像検出装置の制御方法であって、
前記Ｘ線画像検出装置の筺体に表示部を着脱可能に装着する装着手段に、表示部が装着されているか否かを検出する検出工程と、
前記検出工程の検出結果に基づいて制御を切り換える制御工程と、を有することを特徴とするＸ線画像検出装置の制御方法。
【請求項１６】
所定の表示を行うための表示パネルを備え、Ｘ線撮影に用いられるＸ線画像検出装置に着脱可能な表示装置の制御方法であって、
前記表示装置が前記Ｘ線画像検出装置に装着されているか否かを検出する検出工程と、
前記検出工程による検出結果に基づいて前記表示パネルの表示を切り換える制御工程と、を有することを特徴とする表示装置の制御方法。
【請求項１７】
所定の表示を行う表示部と電力を供給する電源制御部とを備え、Ｘ線撮影に用いられるＸ線画像検出装置に着脱可能な表示装置の制御方法であって、
前記Ｘ線画像検出装置に装着されている場合に、前記電源制御部から前記表示装置の各部および前記Ｘ線画像検出装置に電力の供給を行う供給工程を有することを特徴とする表示装置の制御方法。
【請求項１８】
コンピュータに、請求項１４乃至１７のいずれか１項に記載された制御方法の各工程を実行させるためのプログラム。
【手続補正２】
【補正対象書類名】明細書
【補正対象項目名】０００８
【補正方法】変更
【補正の内容】
【０００８】
上記の目的を達成するための本発明の一態様によるＸ線画像撮影システムは以下の構成を備える。すなわち、
Ｘ線撮影に用いられるＸ線画像検出システムであって、
照射されたＸ線量を電気信号に変換する変換素子を有し、前記変換素子から得られた電気信号に基づいてＸ線画像を生成する撮影部と、
所定の表示を行うための表示パネルを有する表示部と、
前記撮影部の筺体に前記表示部を着脱可能に装着する装着手段と、
前記装着手段に前記表示部が装着されているか否かに基づいて、前記撮影部または前記表示部に関わる制御を切り換える制御手段と、を備える。